(57)【要約】【課題】  非使用時の厚みが薄く、しかも、非使用時から使用時へ形態を変化させる等の際の手間が極めて小さい折り畳み式収納部材を提供する。【解決手段】  各側面が縦方向にｎ（ｎ：１以上の整数）段、かつ、横方向にｍ（ｍ：３以上の整数）列の複数個の正方形の基本側面１２を有して上方から見てｍ角形の中空柱状収納空間Ｄを構成している有底Ｂの折り畳み式収納部材Ａである。基本側面１２は、対角点を結ぶ第１の対角線で谷折りすることによりこの第１の対角線と直交する第２の対角線上に位置する他の対角点を重ね合わせるように基本側面１２の上端側を持って上方から見て第１の方向へ回転させると基本側面１２が底Ｂへ向かって折り畳まれた非使用時になり、前記第１の方向とは逆の第２の方向へ回転させると基本側面１２が底Ｂから立設して使用時の形態へ変化するように前記第１の対角線に沿った谷折りの折りくせが構成されている。【選択図】図２
0003210196.tif 000002
【実用新案登録請求の範囲】
【請求項１】
各側面が縦方向にｎ（ｎ：１以上の整数）段、かつ、横方向にｍ（ｍ：３以上の整数）列の複数個の正方形の基本側面により構成されて前記側面により上方から見てｍ角形の中空柱状収納空間を構成している有底の折り畳み式収納部材であって、前記基本側面は、対角点を結ぶ第１の対角線で谷折りすることによりこの第１の対角線と直交する第２の対角線上に位置する他の対角点を重ね合わせるように前記基本側面の上端側を持って上方から見て第１の方向へ回転させると前記基本側面が前記底へ向かって折り畳まれた非使用時になり、前記第１の方向とは逆の第２の方向へ回転させると前記基本側面が前記底から立設して使用時の形態へ変化するように前記第１の対角線に沿った谷折りの折りくせが構成されていることを特徴とする折り畳み式収納部材。
【請求項２】
前記基本側面の集合体である本体が、前記折りくせを設ける前記第１の対角線に沿って切断された１個または複数個の略菱形状に構成されていることを特徴とする請求項１に記載の折り畳み式収納部材。
【考案の詳細な説明】
【技術分野】
【０００１】  本考案は、バッグインバッグ（Ｂａｇ  ｉｎ  Ｂａｇ）、ショルダーバッグ（Ｓａｔｃｈｅｌ  Ｂａｇ）、トートバッグ（Ｔｏｔｅ  Ｂａｇ）、ショッピングバッグ（Ｓｈｏｐｐｉｎｇ  Ｂａｇ）、ポーチ（Ｐｏｕｃｈ）、ポシェット（Ｐｏｃｈｅｔｔｅ）、コインケース（Ｃｏｉｎ  Ｃａｓｅ）、指輪やネックレス等のアクセサリー入れ（Ｊｅｗｅｌｒｙ  Ｃａｓｅ）等として使用できる携帯するに便利な折り畳み式収納部材に関する。
【背景技術】
【０００２】  非使用時は折り畳んでコンパクトに保管でき、使用時のみ縦方向に延ばして内部に空間を確保することを可能とする収納部材として、例えば、コイルスプリングを被服布で包んだ各骨格体の間に骨格体が広がった形状に合わせて布を縫合することにより全体として円筒形とした収納バスケット（特許文献１）や、袋本体を高さが異なる１以上の折り目により複数段に分けて畳める構造とした手提げ袋（特許文献２）が知られている。
【先行技術文献】
【特許文献】
【０００３】
【特許文献１】特開２００２−１１２８２１号公報
【特許文献２】特開２０１１−０８３５８６号公報
【考案の概要】
【考案が解決しようとする課題】
【０００４】  これらの先行技術では、非使用時における高さ方向に一定の厚みが生じるものであり（特許文献１）、あるいは、使用時から非使用時へ形態を変化させたりその逆の操作を行う際に何度も折ったり開いたりする等の手間が必要であり（特許文献２）、携帯用として簡易な操作性を備えた収納部材として使用するには改良の余地があった。【０００５】  本考案は、非使用時は折り畳んでコンパクトに保管できると共に使用時のみ縦方向に延ばして内部に空間を確保することを可能とする収納部材であって、非使用時の厚みが薄く、しかも、非使用時から使用時へ形態を変化させる等の操作を行う際の手間が極めて小さい折り畳み式収納部材の提供を目的とするものである。
【課題を解決するための手段】
【０００６】  本考案の折り畳み式収納部材は、各側面が縦方向にｎ（ｎ：１以上の整数）段、かつ、横方向にｍ（ｍ：３以上の整数）列の複数個の正方形の基本側面により構成されて前記側面により上方から見てｍ角形の中空柱状収納空間を構成している有底の折り畳み式収納部材であって、前記基本側面は、対角点を結ぶ第１の対角線で谷折りすることによりこの第１の対角線と直交する第２の対角線上に位置する他の対角点を重ね合わせるように前記基本側面の上端側を持って上方から見て第１の方向へ回転させると前記基本側面が前記底へ向かって折り畳まれた非使用時になり、前記第１の方向とは逆の第２の方向へ回転させると前記基本側面が前記底から立設して使用時の形態へ変化するように前記第１の対角線に沿った谷折りの折りくせが構成されているものであり、特に、前記基本側面の集合体である本体が、前記折りくせを設ける前記第１の対角線に沿って切断された１個または複数個の略菱形状に構成されているものである。
【考案の効果】
【０００７】  本考案の折り畳み式収納部材によれば、非使用時の厚みが薄く、しかも、非使用時から使用時へ形態を変化させる等の操作を行う際の手間が極めて小さいことから、利便性の向上を実現することができ、特に、商品性の向上に寄与するものである。
【図面の簡単な説明】
【０００８】
【図１】  本考案の第１実施例の平面図である。
【図２】  同上の製造過程を示す説明図である。
【図３】  同上の折り畳みを示す説明図である。
【図４】  同上の使用時から非使用時への変化を示す説明図である。
【図５】  同上の使用例を示す斜視図である。
【図６】  本考案の第２実施例の平面図である。
【図７】  同上の斜視図である。
【図８】  本考案の第３実施例の平面図である。
【図９】  同上の斜視図である。
【図１０】  本考案の応用例を示す斜視図である。
【考案を実施するための形態】
【０００９】  本考案の折り畳み式収納部材は、各側面が縦方向にｎ（ｎ：１以上の整数）段、かつ、横方向にｍ（ｍ：３以上の整数）列の複数個の正方形の基本側面により構成されて前記側面により上方から見てｍ角形の中空柱状収納空間を構成している有底の折り畳み式収納部材であって、前記基本側面は、対角点を結ぶ第１の対角線で谷折りすることによりこの第１の対角線と直交する第２の対角線上に位置する他の対角点を重ね合わせるように前記基本側面の上端側を持って上方から見て第１の方向へ回転させると前記基本側面が前記底へ向かって折り畳まれた非使用時になり、前記第１の方向とは逆の第２の方向へ回転させると前記基本側面が前記底から立設して使用時の形態へ変化するように前記第１の対角線に沿った谷折りの折りくせが構成されているものである。
【００１０】  特に、前記基本側面の集合体である本体が、前記折りくせを設ける前記第１の対角線に沿って切断された１個または複数個の略菱形状に構成されているものである。
【実施例】
【００１１】  以下、添付図面に従って本考案の実施例を説明すると、図１〜図５は、第１実施例に係り、革製のバッグインバッグを示している。【００１２】  折り畳み式収納部材Ａを構成する一枚の平面状の革からなる本体１０は、正方形の単位片１１が矢印Ｘで示す縦方向（段）に５個、矢印Ｙで示す横方向（列）に８個、並んで形成されている（図１）。【００１３】  この本体１０は、最下段（Ｘ方向の一段目）を除いて隣接する段と列の２個ずつ合計４個の単位片１１が、１つの正方形の基本側面１２を構成しており、本体１０は、基本側面１２の集合体である。【００１４】  このように、折り畳み式収納部材Ａを構成する側面は、縦方向および横方向ともに、単位片１１の個数の半分であるｎ段およびｍ列の複数個の正方形の基本側面１２により構成されて前記側面により上方から見てｍ角形の中空柱状収納空間を構成しており、第１実施例では、各側面が２段および１列の合計４側面からなる四角形の折り畳み式収納部材Ａを構成している。【００１５】  本体１０の左右端を合わせて全体を筒状に接合すると共に（図２（ａ））、前記最下段の単位片１１の端を合わせるように単位片１１の一段目と二段目の境目で山折りして前記端を接合することにより底Ｂを形成し（図２（ｂ））、前記最下段の単位片１１の左右端を単位片１１の前記一段目と前記二段目の境目で谷折りすると共に一段目と二段目の境目から単位片１の先端に伸びる対角線で山折りして全体を上方から見て周囲へ延びる三角形部分Ｃを形成する（図２（ｃ））。【００１６】  左右の三角形部分Ｃを底Ｂの下方へ折り曲げ固定することにより底Ｂを補強し（図２（ｄ））、８個の基本側面１２が折り畳み式収納部材Ａの側面を構成することにより上方から見て正方形の収納空間Ｄが得られる（図２（ｅ））。【００１７】  なお、前述した折り畳み式収納部材Ａの製造過程において、接合や固定は、縫製あるいは留め具により適宜行うものである。【００１８】  折り畳み式収納部材Ａの側面を構成する個々の基本側面１２（すなわち、４個の単位片１１）は、対角点、例えば左上点ａと右下点ｃとを結ぶ一点鎖線で示す第１の対角線ｋで谷折り可能として、この第１の対角線ｋと直交する第２の対角線（図示しない）上に位置する他の対角点、すなわち右上点ｂと左下点ｄとを重ね合わせられるように（図３）、本体１０には事前に対角線ｋに沿った谷折りの折りくせを付けておくことが望ましい。【００１９】  斯かる構成により、各基本側面１２の上端側を持って上方から見て第１の方向である時計方向へ回転させるだけで、下段の各基本側面１２の各右上点ｂが各左下点ｄへ向かって各基本側面１２が折り畳まれて底Ｂに向かって縦方向に畳まれ（図４（ａ））、次に上段の各基本側面１２も同様に底Ｂに向かって折り畳まれて（図４（ｂ））、折り畳み式収納部材Ａの非使用時の形態となる（図４（ｃ））。【００２０】  この非使用時の厚みは、本体１０の厚さの数枚分で済むことから薄く、しかも、前記した折り畳みの逆の操作、すなわち本体１０の上端側を持って上方から見て第２の方向である反時計方向へ回転させるだけで、底Ｂから各基本側面１２が立設するため、非使用時から使用時の形態へ変化させることを簡単に行うこ���ができる（図４（ｃ）〜（ａ））。【００２１】  この折り畳み式収納部材Ａは、使用時に筒状の収納部材として使用できるだけでなく、本体１０に設けた単位片１１個所を境目として任意に折り曲げることにより、上方にマチを有さない薄型バッグとしても使用できることから（図５）、応用性が高いものである。【００２２】  なお、本体１０の各基本側面１２を折り畳む際に用いられる谷折り用の前記折りくせは、対角線ｋと直交する対角線上に沿うものとすることもでき、この構成の場合には、折り畳み式収納部材Ａの側面を構成する個々の基本側面１２は、左上点ａと右下点ｃとを重ね合わせられることになり、図３で示した構成とは反対に、本体１０の上端側を持って上方から見て反時計方向へ回転させると使用時から非使用時、時計方向へ回転させると非使用時から使用時へと形態が変化する。【００２３】  図６、図７は、第１実施例と同様の折り畳み式収納部材Ａを実現する第２実施例に係る。【００２４】  本体２０は、第１実施例と同様に一枚の平面状であるが、左右両端が第１実施例で示した谷折り用の前記折りくせを設ける対角線ｋに沿って切断された略菱形状に構成されており、単位片１１のうち左右両端に位置するものは対角線ｋによってそれらの対角位置で半分に切断された三角形状の半単位片１３になっている他は第１実施例の本体１０と同様である（図６）。【００２５】  本体２０の左右端を合わせて全体を筒状に接合した後は、第１実施例と同様な製造過程により収納空間Ｄを有する折り畳み式収納部材Ａが得られる（図７）。【００２６】  斯かる実施例では、本体２０の左右両端を接合させた接合部分Ｅが折り畳み式収納部材Ａを折り畳む際の谷折り個所であることから、他の谷折り個所のくせである折目Ｆと同じような外観として違和感なく見せることができるため、接合個所Ｅを第１実施例のそれよりも目立たなく処理できることから、商品性の向上に寄与するものである。【００２７】  図８、図９は、前述した各実施例と同様の折り畳み式収納部材Ａを実現する第３実施例に係る。【００２８】  第３実施例の本体３０ａ、３０ｂ、３０ｃ、３０ｄは、第２実施例の本体２０を第１実施例で示した谷折り用の前記折りくせを設ける対角線ｋに沿って４個に切断された略菱形状に構成されている（図８）。【００２９】  これらの本体３０ａ、３０ｂ、３０ｃ、３０ｄを接合して第２実施例の本体２０と同じ形状にする。【００３０】  その後は、第２実施例（および、第１実施例）と同様な製造過程により収納空間Ｄを有する折り畳み式収納部材Ａが得られる（図９）。【００３１】  斯かる実施例では、本体３０ａ、３０ｂ、３０ｃ、３０ｄを相互に接合させた接合部分Ｅが折り畳み式収納部材Ａを折り畳む際の全ての谷折り個所であることから、第２実施例よりも一層外観として違和感なく見せることができ、しかも、接合部分Ｅを縫合する際の糸の色を所望な色に選択すれば、この接合部分Ｅをデザインとして積極的に表現することが可能となり、更なる商品性の向上に寄与するものである。【００３２】  なお、本考案に係る折り畳み式収納部材Ａは、前記各実施例に限定されるものではなく、応用例としては、折り畳み式収納部材Ａを構成する各側面の縦方向の個数ｎや横���向の個数ｍを任意に選択することができるもので、例えば、ｍ＝６とすることにより、上方から見て六角形の中空柱状収納空間Ｄを構成している有底の折り畳み式収納部材Ａとすることができるし（図１０）、ｍを３以上とすれば本考案の意図する機能を発揮することができる折り畳み式収納部材Ａを得られるものである。【００３３】  また、前述した底Ｂの内側や外側には、必要に応じて、本体１０と同素材あるいは別素材からなる１枚以上の平板状補強部材（図示しない）を設けることも可能である。【００３４】  また、本体１０、２０、３０ａ、３０ｂ、３０ｃ、３０ｄは革に限らないし、基本側面１２（すなわち、単位片１１）の大きさは任意に選定することができ、これらの素材や大きさは、バッグインバッグ、ショルダーバッグ、トートバッグ、ショッピングバッグ、ポーチ、ポシェット、コインケース、アクセサリー入れ等の使用目的に応じて適宜選択することができる。【００３５】  また、前記使用目的に応じて、上部にファスナー、取手、ショルダー紐等の付属品を付加することも自由にできる。
【符号の説明】
【００３６】  Ａ  折り畳み式収納部材
Ｂ  底
Ｃ  三角形部分
Ｄ  収納空間
Ｅ  接合部分
Ｆ  谷折り個所の折目
１０、２０、３０ａ、３０ｂ、３０ｃ、３０ｄ  本体
１１  単位片
１２  基本側面
１３  半単位片
【図１】
0003210196.tif 000003
【図２】
0003210196.tif 000004
【図３】
0003210196.tif 000005
【図４】
0003210196.tif 000006
【図５】
0003210196.tif 000007
【図６】
0003210196.tif 000008
【図７】
0003210196.tif 000009
【図８】
0003210196.tif 000010
【図９】
0003210196.tif 000011
【図１０】
0003210196.tif 000012
【手続補正書】
【提出日】平成29年2月19日(2017.2.19)
【手続補正１】
【補正対象書類名】図面
【補正対象項目名】図７
【補正方法】変更
【補正の内容】
【図７】
0003210196.tif 000013
【手続補正２】
【補正対象書類名】図面
【補正対象項目名】図９
【補正方法】変更
【補正の内容】
【図９】
0003210196.tif 000014